(57)【要約】【課題】デジタルカメラにより撮影される、または撮影された画像情報がプリントされるときに、その画像情報とプリント画像情報とのサイズの違いに起因したプリント時のトリミングにより撮影された画像情報が消失することを防ぐ。【解決手段】プリンタがプリント媒体の情報を供給し、デジタルカメラ側では撮影画像など元の画像情報とその内のプリント可能領域（３０２）を表示器の表示画面（３００）上に明示できるようにすることで、どの部分の画像情報がプリントできないかをユーザーが容易に認識できるようになる。【選択図】図１８
2006256330.tif 000002
【特許請求の範囲】
【請求項１】
プリント媒体を供給するためのプリンタ用消耗材収納容器が着脱可能で、
撮影機能において撮影すべき画像情報の確認に供される表示手段と、画像をプリントするためのプリント媒体の情報を取得する情報取得手段と、当該取得した情報から前記プリント媒体上のプリント領域を判定する領域判定手段と、前記撮影すべき画像情報とともに当該判定されたプリント領域を前記表示手段上に表示させる表示処理手段とを具えたデジタルカメラから供給される画像データを前記プリンタ用消耗材収納容器から供給されるプリント媒体にプリント可能なプリンタにおいて、
前記容器から提示され、収納している前記プリント媒体の情報を前記デジタルカメラに通知する手段を具え、当該通知により前記デジタルカメラが、取得した当該情報に応じて前記プリント媒体上のプリント領域を判定し、前記撮影すべき画像情報と当該判定されたプリント領域との表示を行えるようにしたことを特徴とするプリンタ。
【請求項２】
前記プリント媒体の情報には、プリントされることが可能な領域情報を含むことを特徴とする請求項１に記載のプリンタ。
【請求項３】
前記容器に搭載され、前記収納しているプリント媒体の情報を保持する不揮発性の記憶手段から当該情報を取得する手段を具えたことを特徴とする請求項１または２に記載のプリンタ。
【請求項４】
装着されている前記容器の形状の違いから前記プリント媒体の情報を取得する手段を具えたことを特徴とする請求項１または２に記載のプリンタ。
【請求項５】
前記プリント媒体にインクを吐出することによりプリントを行うインクジェットヘッドを用いることを特徴とする請求項１ないし４のいずれかに記載のプリンタ。
【請求項６】
前記インクジェットヘッドは、インクを吐出するために利用されるエネルギとして、インクに膜沸騰を生じさせる熱エネルギを発生する素子を有することを特徴とする請求項５に記載のプリンタ。
【請求項７】
請求項１ないし６のいずれかに記載のプリンタに供給すべきプリント媒体を収納するためのプリンタ用消耗材収納容器であって、収納しているプリント媒体の情報を提示する手段を具えたことを特徴とするプリンタ用消耗材収納容器。
【請求項８】
前記プリント媒体の情報には、プリントされることが可能な領域情報を含むことを特徴とする請求項７に記載のプリンタ用消耗材収納容器。
【請求項９】
請求項１ないし６のいずれかに記載のプリンタを一体に具えるとともに、
撮影機能において撮影すべき画像情報の確認に供される表示手段と、
画像をプリントするためのプリント媒体の情報を取得する情報取得手段と、
当該取得した情報から前記プリント媒体上のプリント領域を判定する領域判定手段と、
前記撮影すべき画像情報とともに当該判定されたプリント領域を前記表示手段上に表示させる表示処理手段とを具えたことを特徴とするデジタルカメラ。
【発明の詳細な説明】
【技術分野】
【０００１】
本発明は、撮像手段および撮影画像の表示手段を有するデジタルカメラの撮影画像をプリントするためのプリント手段を有するプリンタ、該プリンタ用消耗材収納容器および前記プリンタを一体に具えたデジタルカメラに関する。詳しくは、例えば、プリンタと一体化され、あるいはプリンタと接続され、またはプリント情報を保持するパーソナルコンピュータ等のホスト装置と接続されたデジタルカメラに対して、プリンタ側が有するプリント情報をデジタルカメラ側が有する撮影画像の表示手段の表示に反映させることができる構成に関する。
【背景技術】
【０００２】
従来デジタルカメラは、各デジタルカメラ固有のいくつかの画像サイズで撮影画像を格納する。例えば、２０４８×１５３６画素、１０２４×７６８画素、６４０×４８０画素などである。これら格納された撮影画像は、撮影時のビューファインダおよびＬＣＤモニタのいずれか一方または双方に表示される画像と縦横比を含み、ほぼ同じ情報サイズである。ただし、デジタルカメラによっては、画像サイズに応じてその縦横比を変更して撮影画像を格納する機種もある。例えば、１８００×１２００画素、１２８０×１０２４画素、６４０×４８０画素などである。さらに、最近のデジタルカメラではユーザーの指定で銀塩写真と同じ縦横比（３：２）で撮影画像を格納する機種もある。
【０００３】
一方、デジタルカメラで撮影された撮影画像は、通常、パーソナルコンピュータ等のホスト装置に取込まれた後に、印刷アプリケーションにより、ユーザー指定のプリント用紙サイズとプリンタ固有のプリント可能領域とに合わせて、画像の拡大または縮小さらにトリミングが行われる。特に、指定されたプリント用紙上のプリント可能領域全体に撮影画像をプリントしようとすると、画像の上下または左右のいずれかの情報が削除されてプリントが行われる場合が多い。
【０００４】
特許文献１においては、パーソナルコンピュータを除外しデジタルカメラとプリンタとを直接接続する印刷システムにおいて、写真画像を印刷する際のレイアウト画像をデジタルカメラに表示する手段が提案されている。
【０００５】
また、特許文献２においては、パーソナルコンピュータを除外しデジタルカメラとプリンタとを直接接続する印刷システムにおいて、あらかじめ印刷用マスクパターンを有しこのマスクパターンとこのマスクパターンでマスクされた領域を除いた画像データとを合成して表示する方式が提案されている。
【０００６】
特許文献３においては、シールプリント機能を有するデジタルカメラにおいて、撮影される被写体画像データとこの被写体画像データの背景または前景画像データとを合成して合成画像データを表示する制御が提案されている。
【０００７】
特許文献４においては、通信手段により印刷装置から受信された印刷イメージデータを表示手段に表示する表示制御手段が提案されている。
【０００８】
さらに、特許文献５においては、感熱記録紙を使用する印刷装置において複数種類の感熱記録紙に対応した、異なるサイズの画像データを複数格納する記憶手段が提案されている。
【０００９】
【特許文献１】特開平１０−１０８００５号公報
【特許文献２】特開平１０−１９１２５号公報
【特許文献３】特開平１０−２５７４２７号公報
【特許文献４】特開平１１−１８０３３号公報
【特許文献５】特開２０００−１０３０９７号公報
【発明の開示】
【発明が解決しようとする課題】
【００１０】
しかしながら、従来では、デジタルカメラで撮影されビューファインダまたはＬＣＤモニタに表示される表示画像情報と、コンパクトフラッシュカード等の記憶媒体上に記憶された画像情報とは、縦横比がほぼ同等であるが、この画像情報とプリント画像情報とのサイズは同じとは限らない。多くのデジタルカメラでは画像情報を縦横比４：３で格納するが、縦横比がほぼ１０：７となるＡ４判の用紙にフルブリードでプリントを行うことを考えると、常に撮影画像の一部がプリントされないこととなる。デジタルカメラで撮影を行い、そしてプリンタで印刷するというユーザーの一連の作業を考えた場合に、撮影時の画像情報の一部がユーザーの意図とは異なり削除されてプリントされることになる。デジタルカメラにおいて撮影を行ったときに予めプリント媒体に関する情報を含むプリント情報を加味することが困難であることが、このようなユーザーの意図にそぐわないプリントがなされてしまうことの原因となる。
【００１１】
また銀塩印画紙と同じサイズの用紙に印刷することを想定し、ユーザーの指定に応じて縦横比を３：２で格納するモードを有するデジタルカメラもあるが、ビューファインダおよびＬＣＤモニタ等の表示装置と縦横比が異なり、かつ撮影画像範囲が表示器上に示されないために、ユーザーが撮影範囲を判定することが甚だ困難である。
【００１２】
上記のように、印刷結果がユーザーの意図と異なった場合には、ユーザーは撮影のやり直しを行わなければならないために、ユーザーに負担を強いるものとなる。さらに、旅行先等その撮影が遠隔地で行われたものである場合には、写真を取り直すことも極めて困難である。
【００１３】
そこで、本発明は、プリント媒体情報を取得可能となし、当該取得されたプリント媒体情報およびユーザーによって指定された指定情報（フルブリード印刷や余白付き印刷の指定など）から、ビューファインダやＬＣＤ等のモニタなどに表示される撮影画像に対して、実際にプリントされる範囲を明示できるようにすることを目的とする。
【課題を解決するための手段】
【００１４】
そのために、本発明は、プリント媒体を供給するためのプリンタ用消耗材収納容器が着脱可能で、撮影機能において撮影すべき画像情報の確認に供される表示手段と、画像をプリントするためのプリント媒体の情報を取得する情報取得手段と、当該取得した情報から前記プリント媒体上のプリント領域を判定する領域判定手段と、前記撮影すべき画像情報とともに当該判定されたプリント領域を前記表示手段上に表示させる表示処理手段とを具えたデジタルカメラから供給される画像データを前記プリンタ用消耗材収納容器から供給されるプリント媒体にプリント可能なプリンタにおいて、前記容器から提示され、収納している前記プリント媒体の情報を前記デジタルカメラに通知する手段を具え、当該通知により前記デジタルカメラが、取得した当該情報に応じて前記プリント媒体上のプリント領域を判定し、前記撮影すべき画像情報と当該判定されたプリント領域との表示を行えるようにしたことを特徴とする。
【００１５】
ここで、前記プリント媒体の情報には、プリントされることが可能な領域情報を含むものとすることができる。
【００１６】
そして、前記容器に搭載され、前記収納しているプリント媒体の情報を保持する不揮発性の記憶手段から当該情報を取得する手段を具えることができる。
【００１７】
または、装着されている前記容器の形状の違いから前記プリント媒体の情報を取得する手段を具えることができる。
【００１８】
また、前記プリント媒体にインクを吐出することによりプリントを行うインクジェットヘッドを用いるものとすることができ、さらに前記インクジェットヘッドは、インクを吐出するために利用されるエネルギとして、インクに膜沸騰を生じさせる熱エネルギを発生する素子を有するものとすることができる。
【００１９】
さらに、本発明は、上記のいずれかの形態のプリンタに供給すべきプリント媒体を収納するためのプリンタ用消耗材収納容器であって、収納しているプリント媒体の情報を提示する手段を具えたことを特徴とする。
【００２０】
ここで、前記プリント媒体の情報には、プリントされることが可能な領域情報を含むものとすることができる。
【００２１】
また、本発明デジタルカメラは、上記のいずれかの形態のプリンタを一体に具えるとともに、撮影機能において撮影すべき画像情報の確認に供される表示手段と、画像をプリントするためのプリント媒体の情報を取得する情報取得手段と、当該取得した情報から前記プリント媒体上のプリント領域を判定する領域判定手段と、前記撮影すべき画像情報とともに当該判定されたプリント領域を前記表示手段上に表示させる表示処理手段とを具えたことを特徴とする。
【発明の効果】
【００２２】
本発明によれば、カメラ一体型プリンタにおいて、あるいは、プリンタと接続されるデジタルカメラにおいて、プリンタから供給されるプリント媒体の情報に基き、元の画像情報とその内のプリントされる領域とをユーザーが容易に認識することが可能となる。
【００２３】
特に撮影時に、プリント媒体に合ったプリント領域が表示されることによって、プリント後の仕上がりを認識しやすく、プリントに必要な部分を確実にプリント可能領域に入るように撮影を行うことが可能となる。
【００２４】
また、カメラとプリンタを一緒に持ち歩いて、撮影したその場でプリントする場合や、パーソナルコンピュータ等の画像編集装置が身近に無いような状況においては、デジタルカメラでの撮影時や再生時にその場でプリント可能領域を認識できることは大変有用である。例えば、撮影される、または撮影された画像情報がプリントされるときに、どの部分の画像情報がプリントできないかをユーザーが容易に認識することができ、プリント時の不用意なトリミングにより重要な撮影情報が消失することを防ぐことが可能となる。また、再生時にプリント情報を設定しなおすことにより、撮影画像情報の所望の部分または全体の画像を印刷することも容易となる。
【００２５】
また、プリント領域が好みに合わなくても、所望のメディアパックを変更するだけで、好みのプリント可能領域でプリントすることができ、操作も簡単である。
【発明を実施するための最良の形態】
【００２６】
以下、本発明の実施形態を図面に基づいて説明する。
【００２７】
本明細書において、「プリント」（「記録」という場合もある）とは、文字、図形等有意の情報を形成する場合のみならず、有意無意を問わず、また人間が視覚で知覚し得るように顕在化したものであるか否かを問わず、広くプリント媒体上に画像、模様、パターン等を形成する場合、またはプリント媒体の加工を行う場合を言うものとする。
【００２８】
また、「プリント媒体」とは、一般的なプリント装置で用いられる紙のみならず、広く、布、プラスチック・フィルム、金属板等、ガラス、セラミックス、木材、皮革等、インクを受容可能な物も言うものとするが、以下では「用紙」または単に「紙」ともいうものとする。
【００２９】
また、本明細書において、「カメラ」とは光学的に撮像し、光学像を電気信号に変換する機器やデバイスを示すものであり、以下の説明において「撮像部」とも称する。
【００３０】
さらに、「インク」（「液体」という場合もある）とは、上記「プリント」の定義と同様広く解釈されるべきものであり、プリント媒体上に付与されることによって、画像、模様、パターン等の形成、プリント媒体の加工、或いはインクの処理（例えば、プリント媒体に付与されるインク中の色材の凝固または不溶化）に供される液体を言うものとする。
【００３１】
なお、本発明が有効に用いられるヘッドの一形態は、電気熱変換体が発生する熱エネルギーを利用して液体に膜沸騰を生じさせ気泡を形成する形態である。
【００３２】
「基本構成」
まず、図１から図１４に基づいて、本発明に係る装置の基本構成について説明する。本例において説明する装置は、光学的に撮像して電気信号に変換する撮像部（以下、「カメラ部」とも称する）と、撮像して得られた電気信号に基づいて画像の記録を行う画像記録部（以下、「プリンタ部」とも称する）とを備えた情報処理機器として構成されている。以下、本例で説明する情報処理機器を「プリンタ内蔵カメラ」と称して説明する。
【００３３】
装置本体Ａ００１においては、カメラ部Ａ１００の背面側にプリンタ部（記録装置部）Ｂ１００が一体的に組み込まれている。プリンタ部Ｂ１００は、メディアパックＣ１００から供給されるインクとプリント媒体を用いて画像を記録する。本構成では、装置本体Ａ００１から外装を外して背面側から見た図５から明らかなように、装置本体Ａ００１の同図中の右手側にメディアパックＣ１００が挿入され、装置本体Ａ００１の同図中左手側にプリンタ部Ｂ１００が配置される。プリンタ部Ｂ１００によって記録を行う場合には、カメラ部Ａ１００における後述の液晶表示部Ａ１０５を上側、レンズＡ１０１を下側にするように、装置本体Ａ００１を置いた姿勢とすることができる。この記録姿勢において、プリンタ部Ｂ１００における後述の記録ヘッドＢ１２０は、インクを下向きに吐出する姿勢となる。記録姿勢は、カメラ部Ａ１００による撮影状態の姿勢と同様の姿勢とすることも可能であり、上記の記録姿勢に限られることはない。記録動作の安定性の面からは、上記のインクを下向きに吐出する記録姿勢が好ましい。
【００３４】
以下においては、本例の装置の機械的な基本構成をＡ「カメラ部」、Ｂ「メディアパック」、Ｃ「プリンタ部」とに分けて説明し、また、信号処理系の基本構成はＤ「信号処理系」として説明する。
【００３５】
Ａ「カメラ部」
カメラ部Ａ１００は、基本的には、一般的なデジタルカメラを構成するものであり、後述するプリンタ部Ｂ１００と共に装置本体Ａ００１に一体的に組み合わせられることによって、図１から図３のような外観のプリンタ内蔵のデジタルカメラを構成する。図１から図３において、Ａ１０１はレンズ、Ａ１０２はファインダー、Ａ１０２ａはファインダー窓、Ａ１０３はストロボ、Ａ１０４はレリーズボタン、Ａ１０５は液晶表示部（外部表示部）である。カメラ部Ａ１００は、後述するように、ＣＣＤを用いて撮像したデータの処理、コンパクトフラッシュメモリカード（ＣＦカード）Ａ１０７への画像の記憶、画像の表示、プリンタ部Ｂ１００との間の各種データの授受等をする。Ａ１０９は、撮影された画像を後述のプリント媒体Ｃ１０４に記録した場合に、画像が記録されたプリント媒体Ｃ１０４が排出される排出部である。図５に示されるＡ１０８は、カメラ部Ａ１００およびプリンタ部Ｂ１００の電源としての電池である。
【００３６】
Ｂ「メディアパック」
メディアパックＣ１００は、装置本体Ａ００１に対して着脱可能であり、本例の場合は、装置本体Ａ００１の挿入部Ａ００２（図３参照）から差し込まれることによって、図１のように装置本体Ａ００１に装着される。挿入部Ａ００２は、メディアパックＣ１００が装着されていないときは図３のように閉じられており、それが装着されるときに開かれる。図５は、メディアパックＣ１００が装着された装置本体Ａ００１から、外装を外した状態を示す。メディアパックＣ１００のパック本体Ｃ１０１には、図４のように、シャッターＣ１０２が矢印Ｄ方向にスライド可能に備えられている。シャッターＣ１０２は、メディアパックＣ１００が装置本体Ａ００１に装着されていないときには図４中の２点鎖線の位置にスライドしており、メディアパックＣ１００が装置本体Ａ００１に装着されたときには、図４中の実線の位置にスライドする。
【００３７】
パック本体Ｃ１０１には、インクパックＣ１０３とプリント媒体Ｃ１０４が収容されている。図４において、インクパックＣ１０３は、プリント媒体Ｃ１０４の下方に収容される。本例の場合、インクパックＣ１０３は、Ｙ（イエロー），Ｍ（マゼンタ），Ｃ（シアン）のインクを個別に収容するように３つ備えられており、またプリント媒体Ｃ１０４は２０枚程度重ねて収容されている。それらのインクとプリント媒体Ｃ１０４は、画像の記録に最適な組合せのものが選択された上、同じメディアパックＣ１００内に収容されている。したがって、インクとプリント媒体の組合せが異なる種々のメディアパックＣ１００（例えば、超高画質用、ノーマル画質用、シール（分割シール）用等のメディアパック）を用意しておいて、記録すべき画像の種類、および画像が形成されたプリント媒体の用途などに応じて、それらのメディアパックＣ１００を選択的に装置本体Ａ００１に装着することにより、最適な組合せのインクとプリント媒体を用いて、目的に応じた画像を確実に記録することができる。また、メディアパックＣ１００には後述するＥＥＰＲＯＭ（識別ＩＣ）が備えられており、そのＥＥＰＲＯＭには、メディアパックが収容しているインクとプリント媒体の種類や残量などの識別データが記憶される。なお、後述する本発明を実施するための一形態として、プリント可能な領域に関する情報を記憶していてもよい。
【００３８】
インクパックＣ１０３は、メディアパックＣ１００が装置本体Ａ００１に装着されたときに、Ｙ，Ｍ，Ｃのインクのそれぞれに対応する３つのジョイントＣ１０５を通して、後述する装置本体Ａ００１側のインク供給系に接続される。一方、プリント媒体Ｃ１０４は、図示しない分離機構によって一枚ずつ分離されてから、後述する給紙ローラＣ１１０（図９参照）によって矢印Ｃ方向に送り出される。その給紙ローラＣ１１０の駆動力は、装置本体Ａ００１側に備わる後述の搬送モータＭ００２（図９参照）から、連結部Ｃ１１０ａを介して供給される。
【００３９】
また、パック本体Ｃ１０１には、後述するプリンタ部の記録ヘッドをワイピングするためのワイパーＣ１０６と、そのプリンタ部から排出された廃インクを吸収するためのインク吸収体Ｃ１０７と、が備えられている。プリンタ部における記録ヘッドは、後述するように矢印Ａの主走査方向に往復移動する。メディアパックＣ１００が装置本体Ａ００１から外されているときは、シャッターＣ１０２が図４中の２点鎖線の位置にスライドして、ジョイントＣ１０５、ワイパーＣ１０６、およびインク吸収体Ｃ１０７などを保護する。
【００４０】
Ｃ「プリンタ部」
本例のプリンタ部Ｂ１００は、インクジェット記録ヘッドを用いるシリアルタイプである。このプリンタ部Ｂ１００については、Ｃ−１「プリント動作部」、Ｃ−２「プリント媒体搬送系」、およびＣ−３「インク供給系」に分けて説明する。
【００４１】
Ｃ−１「プリント動作部」
図６は、プリンタ部Ｂ１００全体の斜視図、図７は、プリンタ部Ｂ１００の一部を取り外した斜視図である。
【００４２】
プリンタ部Ｂ１００の本体内部の定位置には、図５のように、装置本体Ａ００１に装着されたメディアパックＣ１００の先端部分が位置する。メディアパックＣ１００から矢印Ｃ方向に送り出されたプリント媒体Ｃ１０４は、後述するプリント媒体搬送系におけるＬＦローラＢ１０１とＬＦピンチローラＢ１０２との間に挟まれつつ、プラテンＢ１０３上にて矢印Ｂの副走査方向に搬送される。Ｂ１０４は、ガイド軸Ｂ１０５とリードスクリューＢ１０６に沿って矢印Ａの主走査方向に往復移動されるキャリッジである。
【００４３】
キャリッジＢ１０４には、図８のように、ガイド軸Ｂ１０５用の軸受けＢ１０７と、リードスクリューＢ１０６用の軸受けＢ１０８が設けられている。キャリッジＢ１０４の定位置には、図７のように、軸受けＢ１０８の内側に突出するスクリューピンＢ１０９がばねＢ１１０によって取り付けられている。そして、リードスクリューＢ１０６の外周部に形成された螺旋溝に対して、スクリューピンＢ１０９の先端がはまり合うことによって、リードスクリューＢ１０６の回転がキャリッジＢ１０４の往復移動に変換される。
【００４４】
また、キャリッジＢ１０４には、Ｙ，Ｍ，Ｃのインクを吐出可能なインクジェット記録ヘッドＢ１２０と、その記録ヘッドＢ１２０に供給されるインクを収容するサブタンク（図示せず）が搭載されている。記録ヘッドＢ１２０には、矢印Ａの主走査方向と交差する方向（本例の場合は、直交する方向）に沿って並ぶ複数のインク吐出口Ｂ１２１（図８参照）が形成されている。インク吐出口Ｂ１２１は、サブタンクから供給されたインクを吐出可能なノズルを構成する。インクを吐出させるためのエネルギーの発生手段としては、ノズル毎に備えた電気熱変換体を用いることができる。その電気熱変換体は、発熱駆動されることによってノズル内のインク中に気泡を発生させ、その発泡エネルギーによってインク吐出口Ｂ１２１からインク滴を吐出させる。
【００４５】
サブタンクは、メディアパックＣ１００に収容されているインクパックＣ１０３よりも小容量であり、少なくともプリント媒体Ｃ１０４の１枚分の画像記録に必要な量のインクを収容する大きさとなっている。サブタンクにおいて、Ｙ，Ｍ，Ｃのインク毎のインク収容部分には、それぞれインク供給部と負圧導入部が形成されており、それらのインク供給部は対応する３つの中空のニードルＢ１２２に個別に接続され、また、それらの負圧導入部は共通の供給エアー口Ｂ１２３に接続されている。このようなサブタンクには、後述するように、キャリッジＢ１０４が図６のようなホームポジションに移動したときに、メディアパックＣ１００のインクパックＣ１０３からインクが補給される。
【００４６】
図８のキャリッジＢ１０４において、Ｂ１２４はニードルカバーであり、ニードルＢ１２２とジョイントＣ１０５とが連結していないときは、スプリングの力によって同図のように、ニードルＢ１２２を保護する位置に移動しており、ニードルＢ１２２とジョイントＣ１０５とが連結するときは、スプリングの力に抗して同図中の上方に押されてニードルＢ１２２の保護を解く。キャリッジＢ１０４の移動位置は、キャリッジＢ１０４側のエンコーダセンサＢ１３１と、プリンタ部Ｂ１００の本体側のリニアスケールＢ１３２（図６参照）と、によって検出される。また、キャリッジＢ１０４がホームポジションに移動したことは、キャリッジＢ１０４側のＨＰ（ホームポジション）フラグＢ１３３と、プリンタ部Ｂ１００の本体側のＨＰセンサＢ１３４（図７参照）と、によって検出される。
【００４７】
図７において、ガイド軸Ｂ１０５の両端には、その中心軸から偏心した位置に支軸（図示せず）が設けられている。ガイド軸Ｂ１０５は、その支軸を中心として回動調整されることにより、キャリッジ１０４の位置が調整されて、記録ヘッドＢ１２０と、プラテンＢ１０３上のプリント媒体Ｃ１０４と、の間の距離（「紙間距離」ともいう）が調整される。また、リードスクリューＢ１０６は、スクリューギアＢ１４１、アイドラギアＢ１４２、およびモータギアＢ１４３を介して、キャリッジモータＭ００１によって回転駆動される。また、Ｂ１５０は、後述する制御系と記録ヘッドＢ１２０とを電気的に接続するためのフレキシブルケーブルである。
【００４８】
記録ヘッドＢ１２０は、キャリッジＢ１０４と共に矢印Ａの主走査方向に移動しつつ、画像信号に応じてインク吐出口Ｂ１２１からインクを吐出することによって、プラテンＢ１０３上のプリント媒体に１行分の画像を記録する。このような記録ヘッドＢ１２０による１行分の記録動作と、後述するプリント媒体搬送系による矢印Ｂの副走査方向におけるプリント媒体の所定量の搬送動作と、を繰り返すことによって、プリント媒体上に順次画像を記録する。
【００４９】
Ｃ−２「プリント媒体搬送系」
図９は、プリンタ部Ｂ１００におけるプリント媒体搬送系の構成部分の斜視図である。図９において、Ｂ２０１は対の排紙ローラであり、同図中上側の一方の排紙ローラＢ２０１は、排紙ローラギアＢ２０２と中継ギアＢ２０３を介して、搬送モータＭ００２により駆動される。同様に、前述したＬＦローラＢ１０１は、ＬＦローラギアＢ２０４と中継ギアＢ２０３を介して、搬送モータＭ００２により駆動される。排紙ローラＢ２０１とＬＦローラＢ１０１は、搬送モータＭ００２の正転時の駆動力によって、プリント媒体Ｃ１０４を矢印Ｂの副走査方向に搬送する。
【００５０】
一方、搬送モータＭ００２が逆転したときは、切り替えスライダＢ２１１および切り替えカムＢ２１２を介して、圧板ヘッドＢ２１３と図示しないロック機構が駆動されると共に、メディアパックＣ１００側の給紙ローラＣ１１０に駆動力が伝達される。すなわち、圧板ヘッドＢ２１３は、搬送モータＭ００２の逆転時の駆動力によって、メディアパックＣ１００のシャッターＣ１０２の窓部Ｃ１０２Ａ（図４参照）を通って、メディアパックＣ１００内に集積されているプリント媒体Ｃ１０４を図４中の下方に押圧する。これにより、図４中の最下位置のプリント媒体Ｃ１０４がメディアパックＣ１００内の給紙ローラＣ１１０上に押し付けられる。また、図示しないロック機構は、搬送モータＭ００２の逆転時の駆動力によって、装置本体Ａ００１に対してメディアパックＣ１００をロックしてメディアパックＣ１００の取り外しを禁止する。また、メディアパックＣ１００側の給紙ローラＣ１１０は、搬送モータＭ００２の逆転時の駆動力が伝達されることによって、図４中最下位置の１枚のプリント媒体Ｃ１０４を矢印Ｃ方向に搬出する。
【００５１】
このように、搬送モータＭ００２が逆転することによって、メディアパックＣ１００からプリント媒体Ｃ１０４が１枚だけ矢印Ｃ方向に取り出され、その後、搬送モータＭ００２が正転することによって、そのプリント媒体Ｃ１０４が矢印Ｂ方向に搬送される。
【００５２】
Ｃ−３「インク供給系」
図１０は、プリンタ部Ｂ１００におけるインク供給系の構成部分の斜視図、図１１は、そのインク供給系の構成部分にメディアパックＣ１００が装着されたときの平面図である。
【００５３】
プリンタ部Ｂ１００に装着されたメディアパックＣ１００のジョイントＣ１０５は、ホームポジションに移動したキャリッジＢ１０４側のニードルＢ１２２（図８参照）の下に位置する。プリンタ部Ｂ１００の本体には、ジョイントＣ１０５の下方に位置するジョイントフォークＢ３０１（図１０参照）が備えられており、そのジョイントフォークＢ３０１がジョイントＣ１０５を上動させることにより、ジョイントＣ１０５がニードルＢ１２２に接続される。これにより、メディアパックＣ１００側のインクパックＣ１０３と、キャリッジＢ１０４側のサブタンクのインク供給部と、の間のインク供給路が形成される。また、プリンタ部Ｂ１００の本体には、ホームポジションに移動したキャリッジＢ１０４の供給エアー口Ｂ１２３（図８参照）の下に位置する供給ジョイントＢ３０２が備えられている。この供給ジョイントＢ３０２は、供給チューブＢ３０３を介して、負圧発生源としてのポンプのポンプシリンダＢ３０４に接続されている。供給ジョイントＢ３０２は、ジョイントリフタＢ３０５によって上動されることにより、キャリッジＢ１０４側の供給エアー口Ｂ１２３に接続される。これにより、キャリッジＢ１０４側のサブタンクの負圧導入部と、ポンプシリンダＢ３０４と、の間の負圧導入路が形成される。ジョイントリフタＢ３０５は、ジョイントモータＭ００３の駆動力によって、供給ジョイントＢ３０２と共にジョイントフォークＢ３０１を上下動させる。
【００５４】
サブタンクの負圧導入部には、空気の通過を許容し、かつインクの通過を阻止する気液分離部材（図示せず）が備えられている。気液分離部材は、負圧導入路を通して吸引されるサブタンク内の空気の通過を許容し、これによりメディアパックＣ１００からサブタンクにインクが補給される。そして、サブタンク内のインクが気液分離部材に達するまで、インクが充分に補給されたときに、その気液分離部材がインクの通過を阻止することにより、インクの補給が自動的に停止する。気液分離部材は、サブタンクのインク毎のインク収容部分におけるインク供給部に備えられており、それらのインク収容部分毎に、インクの補給を自動的に停止させる。
【００５５】
また、プリンタ部Ｂ１００の本体には、ホームポジションに移動したキャリッジＢ１０４側の記録ヘッドＢ１２０（図８参照）に対して、キャッピングが可能な吸引キャップＢ３１０が備えられている。吸引キャップＢ３１０は、その内部に、吸引チューブＢ３１１を通してポンプシリンダＢ３０４から負圧が導入されることによって、記録ヘッドＢ１２０のインク吐出口Ｂ１２１からインクを吸引排出（吸引回復処理）させることができる。また、記録ヘッドＢ１２０は、必要に応じて、画像の記録に寄与しないインクを吸引キャップＢ３１０内に吐出させる（予備吐出処理）。吸引キャップＢ３１０内のインクは、ポンプシリンダＢ３０４から、廃液チューブＢ３１２と廃液ジョイントＢ３１３を通して、メディアパックＣ１１０内のインク吸収体Ｃ１０７に排出される。
【００５６】
ポンプシリンダＢ３０４は、それを往復駆動するためのポンプモータＭ００４などと共にポンプユニットＢ３１５を構成する。ポンプモータＭ００４は、ワイパーリフタＢ３１６（図１０参照）を上下動させるための駆動源としても機能する。ワイパーリフタＢ３１６は、プリンタ部Ｂ１００に装着されたメディアパックＣ１００のワイパーＣ１０６を上動させることによって、そのワイパーＣ１０６を記録ヘッドＢ１２０のワイピングが可能な位置に移動させる。
【００５７】
図１０および図１１において、Ｂ３２１は、ポンプシリンダＢ３０４によって構成されるポンプの動作位置がホームポジションにあることを検出するポンプＨＰセンサである。また、Ｂ３２２は、前述したインク供給路および負圧導入路が形成されたことを検出するジョイントＨＰセンサである。また、Ｂ３２３は、プリンタ部Ｂ１００の本体を構成するシャーシである。
【００５８】
Ｄ「信号処理系」
図１２は、カメラ部Ａ１００とプリンタ部Ｂ１００の概略のブロック構成図である。
【００５９】
カメラ部Ａ１００において、１０１は撮像素子としてのＣＣＤ、１０２は音声入力のためのマイク、１０３はハードウェア処理を行なうＡＳＩＣ、１０４は画像データ等を一時的に記憶する第１メモリ、１０５は撮像画像を記憶するＣＦカード（「ＣＦカードＡ１０７」に相当）、１０６は撮影画像または再生画像を表示するＬＣＤ（「液晶表示部Ａ１０５」に相当）、１２０はカメラ部Ａ１００の制御をする第１ＣＰＵ、である。
【００６０】
プリンタ部Ｂ１００において、２１０は、カメラ部Ａ１００とプリンタ部Ｂ１００との間のインターフェース、２０１は画像処理部（画像を２値化する２値化処理部を含む）、２０２は画像処理を行なう上で使用する第２メモリ、２０３はバンドメモリ制御部、２０４はバンドメモリ、２０５はマスクメモリ、２０６はヘッド制御部、２０７は記録ヘッド（「記録ヘッドＢ１２０」に相当）、２０８はエンコーダ（「エンコーダセンサＢ１３１」に相当）、２０９はエンコーダカウンタ、２２０はプリンタ部Ｂ１００を制御する第２ＣＰＵ、２２１はモータドライバ、２２２はモータ（「モータＭ００１，Ｍ００２，Ｍ００３，Ｍ００４」に相当）、２２３はセンサ（「ＨＰセンサＢ１３４，Ｂ３２１，Ｂ３２２」を含む）、２２４はメディアパックＣ１００に内蔵されているＥＥＰＲＯＭ、２３０は音声エンコーダ部、２５０は装置全体に電源を供給する電源部（「電池Ａ１０８」に相当）、である。
【００６１】
図１３は、カメラ部Ａ１００における信号処理の説明図である。撮影モードの時は、レンズ１０７を通してＣＣＤ１０１により撮像された画像は、ＡＳＩＣ１０３により信号処理（ＣＣＤ信号処理）され、ＹＵＶ輝度２色差信号に変換される。更に、所定の解像度にリサイズされ、ＪＰＥＧ圧縮されてＣＦカード１０５に記録される。また、音声に関しては、マイク１０２より入力され、ＡＳＩＣ１０３を介してＣＦカード１０５に記憶される。音声の記録に関しては、撮影時と同時、または、撮影後のアフレコとして記憶させることができる。再生モードの時には、ＣＦカード１０５よりＪＰＥＧ画像が読み出され、ＡＳＩＣ１０３によりＪＰＥＧ伸張され、更に表示用の解像度にリサイズされてＬＣＤ１０６に表示される。
【００６２】
図１４は、プリンタ部Ｂ１００における信号処理の説明図である。
【００６３】
カメラ部Ａ１００側で再生された画像、即ちＣＦカード１０５より読み出された画像は、図１３のように、ＡＳＩＣ１０３によってＪＰＥＧ伸張され、プリントする解像度に適する解像度にリサイズされる。そして、リサイズされた画像データ（ＹＵＶ）はインターフェース部２１０を介してプリンタ部Ｂ１００へ送られる。プリンタ部Ｂ１００は、図１４のように、カメラ部Ａ１００より送られた画像データを画像処理部２０１により画像処理し、画像データのＲＧＢ信号への変換、カメラの特性に応じた入力γ補正、ルックアップテーブル（ＬＵＴ）を用いての色補正および色変換、プリントするための２値化信号への変換をする。２値化処理の際には、誤差拡散（ＥＤ）処理を行うために、誤差メモリとして第２メモリ２０２を用いる。本例の場合、画像処理部２０１における２値化処理部は誤差拡散処理を行なっているが、ディザパターンを使った２値化処理等、他の処理を行うことも可能である。２値化されたプリントデータはバンドメモリ制御部２０３によって、一旦バンドメモリ２０４に記憶される。プリンタ部Ｂ１００のエンコーダカウンタ２０９には、記録ヘッド２０７およびエンコーダ２０８を搭載したキャリッジＢ１０４が一定距離移動する毎に、エンコーダ２０８からのエンコーダパルスが入る。そして、このエンコーダパルスに同期して、バンドメモリ２０４とマスクメモリ２０５からプリントデータが読み出され、そのプリントデータに基づき、ヘッド制御部２０６が記録ヘッド２０７を制御して記録を行う。
【００６４】
図１４中のバンドメモリ制御について説明すると次のとおりである。
【００６５】
記録ヘッド２０７における複数のノズルは、例えば、１２００ｄｐｉの密度をなすように列状に形成されている。このような記録ヘッド２０７を用いて画像を記録すべく、キャリッジを１回走査させるときには、副走査方向（以下、「縦（Ｙ方向）」ともいう）においてはノズル数分、主走査方向（以下、「横（Ｘ方向）ともいう」）においては記録領域分の記録データ（１走査分の記録データ）を、予め作成しておく必要がある。記録データは、画像処理部２０１にて作成されてから、バンドメモリ制御部２０３によってバンドメモリ２０４に一旦蓄えられる。バンドメモリ２０４に１走査分の記録データが蓄えられた後、キャリッジが主走査方向に走査される。その際、エンコーダ２０８より入力されたエンコーダパルスがエンコーダカウンタ２０９によってカウントされ、このエンコーダパルスにしたがってバンドメモリ２０４から記録データが読み出され、その画像データに基づいて記録ヘッド２０７からインク滴が吐出される。記録ヘッド２０７の往走査時および復走査時に画像を記録（往路記録および復路記録）する双方向記録方式を採用した場合には、記録ヘッド２０７の走査方向に応じて、バンドメモリ２０４から画像データが読み出される。例えば、往路記録時は、バンドメモリ２０４から読み出される画像データのアドレスが順次インクリメントされ、復路記録時は、バンドメモリ２０４から読み出される画像データのアドレスが順次デクリメントされる。
【００６６】
実際には、画像処理部２０１により作成された画像データ（Ｃ，Ｍ，Ｙ）がバンドメモリ２０４に書き込まれて、１バンド分の画像データが準備されたとき、記録ヘッド２０７の走査が可能となる。そして、記録ヘッド２０７を走査し、バンドメモリ２０４より画像データを読み出して、その画像データに基づいて記録ヘッド２０７が画像を記録する。記録動作の間に、次に記録すべき画像データが画像処理部２０１にて作成され、その画像データは、その記録位置に対応するバンドメモリ２０４の領域に書き込まれる。
【００６７】
このように、バンドメモリ制御は、画像処理部２０１により作成された記録データ（Ｃ，Ｍ，Ｙ）をバンドメモリ２０４に書込む作業と、キャリッジの走査動作に合わせて、記録データ（Ｃ，Ｍ，Ｙ）をヘッド制御部２０６に送るために読み出す作業と、を切替えながら行なう。
【００６８】
図１４中のマスクメモリ制御について説明すると次のとおりである。
【００６９】
このマスクメモリ制御は、マルチパス記録方式を採用した場合に必要となる。マルチパス記録方式の場合、記録ヘッド２０７のノズル列の長さに相当する幅をもつ１行分の記録画像は、記録ヘッド２０７の複数回の走査に分けて記録される。すなわち、副走査方向に間欠的に搬送されるプリント媒体の搬送量がノズル列の長さの１／Ｎとされ、例えば、Ｎ＝２のときは、１行分の記録画像が２回の走査に分けて記録（２パス記録）され、Ｎ＝４のときは、１行分の記録画像が４回の走査に分けて記録（４パス記録）される。同様に、Ｎ＝８のときは８パス記録、Ｎ＝１６のときは１６パス記録となる。したがって、１行分の記録画像が記録ヘッド２０７の複数回の走査によって完成されることになる。
【００７０】
実際には、マスクメモリ２０５に、画像データを記録ヘッド２０７の複数回の走査に割り当てるためのマスクデータが格納されており、そのマスクデータと画像データとの論理積（ＡＮＤ）データに基づき、記録ヘッド２０７がインクを吐出して画像を記録する。
【００７１】
また、図１４において、ＣＦカード１０５に記憶された音声データは、ＡＳＩＣ１０２により、画像データと同じように、インターフェース２１０を介してプリンタ部Ｂ１００へ送られる。プリンタ部Ｂ１００に送られた音声データは、音声エンコーダ２３０においてコード化（エンコード）されて、プリントする画像の中にコードデータとして記録される。プリント画像に音声データを入れる必要の無い時、または、音声データの無い画像をプリントする際には、当然に、コード化された音声データはプリントされず、画像のみがプリントされる。
【００７２】
本実施例においては、カメラ部Ａ１００とプリンタ部Ｂ１００が一体となったプリンタ内蔵カメラとして説明を行なってきた。しかし、カメラ部Ａ１００とプリンタ部Ｂ１００を分離した別々の装置とし、それらをインターフェース２１０により接続した構成においても同様に構成して、同様の機能を実現することが可能である。
【００７３】
「特徴的な構成」
以下、本発明の特徴的な構成の実施形態について説明する。
【００７４】
図１５は、上述した基本構成に対し、特に本発明の特徴的な構成を実現するための制御系の一例を示すものである。
【００７５】
同図において、１１０１はプリンタ部Ｂ１００でプリントされる情報の表示処理手順（後述）に対応した、ＣＰＵ１２０が実行するプログラムおよびその他の固定データを格納するＲＯＭである。１１０２は情報表示処理プログラムを実行する際の作業領域および撮像素子であるＣＣＤ１０１等を含む撮像部１１０３から読み込まれた撮影画像情報を一時格納する領域、およびカードドライブ１１１０に挿入された記憶媒体であるＣＦカードＡ１０７から読み込まれた画像情報を一時格納する領域として使用されるＲＡＭであり、前述のメモリ１０４に相当する。１１０４は撮像部１０３で取込まれ撮影されるべき画像情報を表示するビューファインダである。
【００７６】
ＬＣＤ１０６は、前述のように、撮像部１１０３から取り込まれ撮影されるべき画像情報を表示する、またはＣＦカードＡ１０７に格納され、カードドライブ１１１０を介して取り込まれた画像情報を再生表示する。１０７はレリーズボタンＡ１０４を含むキー群を備えたユーザー操作可能な操作部である。
【００７７】
プリンタ部Ｂ１００は、前述のように、撮影画像等をプリントするためのものであり、プリント用消耗材格納容器であるメディアパックＣ１００を装着することにより用紙の供給を受け、プリント動作を行うことができる。また、メディアパックＣ１００に設けられているＥＥＰＲＯＭ２２４に記載されている情報の読み込みも行う。また、メディアパックＣ１００は、前述のように、プリンタ部Ｂ１００に供給するインクを含むものでもよい。さらに、ＥＥＰＲＯＭ２２４には、メディアパックＣ１００に収納されている用紙のサイズおよび種類のほか、用紙枚数などの情報が格納される。
【００７８】
カードドライブ１１１０は、撮像部１１０３で取り込まれ撮影された画像情報をＣＦカードＡ１０７に格納する、または、ＣＦカードＡ１０７に格納されている画像情報を読み込むためのものである。１１１１はパーソナルコンピュータ等外部の装置とＵＳＢ通信などにより画像情報の送受信を行うためのインターフェース部（Ｉ／Ｆ）である。
【００７９】
以上の制御系各部に対しては、電源部２５０から動作電源が供給される。１１０５はＣＰＵ１２０、ＲＯＭ１１０１、ＲＡＭ１１０２、撮像部１１０３、ビューファインダ１１０４、ＬＣＤ１０６、操作部１１０７、プリンタ部Ｂ１００、電源部２５０、カードドライブ１１１０、およびインターフェース１１１１を接続するＣＰＵバスであり、アドレス信号を転送するアドレスバス、制御信号を転送するコントロールバスおよび各種データを転送するデータバスの総称である。
【００８０】
図１６および図１７は、前述の基本構成で説明したプリンタ内蔵カメラを模式化して示す図であり、図１６はプリンタ内蔵カメラをほぼ正面右上方向から示す斜視図、図１７はほぼ背面左下方向から示す斜視図である。プリンタ内蔵カメラの正面側には、レンズＡ１０１、ＡＦ補助光投光部１２０３およびストロボＡ１０３が配設され、図１５における撮像部１１０３を構成する。また、正面側に配設されたファインダー窓Ａ１０２ａおよび背面側に配設されたファインダー接眼部Ａ１０２により図１５におけるビューファインダ１１０４が構成される。
【００８１】
さらに、上面側に配設されたレリーズボタンＡ１０４や、背面側に配設されて、液晶表示器Ａ１０５に表示されるメニュー画面を操作するのに使用されるキー１２３１および１２３３により、図１５における操作部１１０７が構成される。なお、液晶表示器Ａ１０５は図１５のＬＣＤ１０６に相当する。
【００８２】
プリンタ内蔵カメラの一側面には、カードドライブ１１１０にコンパクトフラッシュカード（ＣＦカード）Ａ１０７を挿入する挿入口を覆うＣＦカードスロットカバー１２４０と、プリンタ部Ｂ１００にメディアパックＣ１００を装着するための挿入部Ａ００２を覆うメディアパックカバー１２４１とが設けられている。また、これと対向する他側面には、プリンタ部Ｂ１００によってプリントされた用紙Ｃ１０４を排出するための排出部Ａ１０９が設けられている。
【００８３】
なお、プリンタ内蔵カメラの底面において、１２２１は電源部２５０となるバッテリを挿入するための挿入口を覆うバッテリカバー、１２２０は三脚を取り付けるためのねじ穴である。
【００８４】
図１８はプリント可能領域を表示する表示例を示す。図において３００は図１５のＬＣＤ１０６ないし図１７の液晶表示器Ａ１０５の表示画面全体である。３０１はプリント可能領域と非プリント可能領域との境界を示し、この境界内部の部分３０２が表示画面３００上に表示される印刷可能領域であり、画像が精細に表示される。その外部の部分３０３は、撮影画像部分ではあるが非プリント領域であり、ユーザーが視認可能ではあるが、フィルター処理等でマスクされることにより部分３０２ほど精細には表示されない。
【００８５】
図１９はプリント可能領域と非プリント可能領域とを明示するための表示処理手順の一例を示す。本手順は、撮影時において撮像部１１０３を介して取得されＲＡＭ１１０２に格納されている画像情報をＬＣＤ１０６に表示する場合、または、再生時おいてＣＦカードＡ１０７等の不揮発性記憶媒体に記憶されている画像情報をカードドライブ１１１０を介してＲＡＭ１０２に展開しこれをＬＣＤ１０６に表示する場合において、例えばユーザーがプリント可能領域の明示を操作部１１０７を介して指示したときに起動されるものとすることができる。
【００８６】
本手順が起動されると、まずステップＳ１０において、プリンタ部Ｂ１００にメディアパックＣ１００が挿入されているか、さらにメディアパックＣ１００が挿入されている場合は用紙があるかというプリント用紙有無の判定を行う。これらにおいて否定判定された場合はステップＳ３０のプリント情報取得に進む。
【００８７】
肯定判定された場合には、ステップＳ２０において、メディアパックＣ１００に装着されている用紙のサイズおよび特性などの用紙情報をメディアパックＣ１００内の不揮発性メモリＥＥＰＲＯＭ２２４から読み込む。
【００８８】
ステップＳ３０においては、ＬＣＤ１０６に表示される操作メニューに従い、操作部１１０７により入力決定されたユーザー指定のプリント情報を取得する。プリント情報には、プリント範囲を決定するための情報として、プリント用紙Ｃ１０４の周縁部に余白を設けないフルブリードでプリントを行うとか、あるいは余白付でプリントを行うとか、テンプレート内に決められた位置に決められた大きさでプリントを行うなどの情報が含まれているものとすることができる。
【００８９】
ステップＳ４０においては、ステップＳ２０で取得されたプリント用紙情報とステップＳ３０で取得されたユーザー指定のプリント情報とから、ＬＣＤ１０６に表示される画像情報に対してプリント可能領域を決定する。
【００９０】
ステップＳ５０においては、ステップＳ４０においてプリント可能領域と判定された領域の画像情報に対して通常の表示を行う。図１８の領域３０２がこれに該当する。ステップＳ６０においては、ステップＳ４０において非プリント領域と判定された領域の画像情報に対してフィルター付で、たとえばモノクロームフィルターを使用して表示する。図１８の領域３０３がこれに該当する。ステップＳ７０においてはプリント可能領域と非プリント領域との境界を明確にするために境界線３０１を表示する。
【００９１】
以上の実施形態によれば、プリンタ内蔵カメラにおいて、撮影画像など元の画像情報とその内のプリントされる領域とをユーザーが容易に認識することが可能となり、撮影のやり直しなどの無駄な操作を行う必要がなくなる。
【００９２】
なお、上述の実施形態では、ＬＣＤ１０６（液晶表示器Ａ１０５）にプリント可能領域を明示するための表示を行うものとしたが、これに代えて、あるいはこれとともに、ビューファインダ１１０４にそのような表示を行うようにしてもよい。
【００９３】
また、上述のステップＳ５０からステップＳ７０の処理においてプリント可能領域、非プリント可能領域およびそれらの境界の表示を行うようにしたが、元の画像情報に対してプリント可能領域とを明示するための構成はこのような実施形態に限られない。例えば、境界線のみが表示されるようにしてもよいし、元の画像情報に対して非プリント可能領域をトリミングして表示してもよい。その際、トリミングされた背景（非プリント可能領域）を黒色表示してもよい。
【００９４】
また、上述の処理手順に対し、明示されたプリント可能領域を参照しつつユーザーがプリントを所望する範囲を指定する処理や、これに応じてプリント可能領域の表示位置を画面３００内で移動する処理、さらには最終的なプリント範囲の設定を行う処理等を付加することもできる。そして、そのようなプリント範囲の設定後にユーザーがプリントの開始を指示し、これに応じてプリントを行うことができる。また、メディアパックＣ１００が挿入されていなかった場合や用紙無しの場合には、新たなメディアパックの挿入を促す表示を行い、当該挿入が行われた場合には、その用紙情報と上記設定されたプリント範囲との適否を判定し、所要の処理を行うようにすることができる。
【００９５】
さらに、ステップＳ２０における用紙情報の取得を行うために、上例ではＥＥＰＲＯＭを用いた。これは、プリンタ部Ｂ１００側より所要の情報を受け取り、保持情報を適宜書き換える場合、例えば記録の進捗に応じて収納されているプリント媒体Ｃ１０４の数を減じて記録していくような場合に有効である。しかしメディアパックＣ１００側が単に自らに係る情報を提示すれば足りるのであれば、必ずしも保持内容を書換え可能なＥＥＰＲＯＭ等の記憶手段を用いなくてもよい。例えば、メディアパックＣ１００の一部の形状を、容器に収容する用紙の種類に応じて変えるとともに、プリンタ部Ｂ１００側には、この形状に応じて、用紙の種類を認識するための手段を設けてもよい。さらには、メディアパックの種類に応じてユーザーがプリント情報の設定行うものでもよい。
【００９６】
また、上記のＥＥＰＲＯＭ等の記憶手段が保持する情報として、プリントされることが可能なプリント媒体の領域に関する情報を記憶していてもよい。これによれば、同一サイズの用紙でも、プリント可能領域を容器ごとに変更することも可能となるし、新しく製品化されて、デジタルカメラ側には認識されてないメディアパックであっても、正しくプリント可能領域を認識することができる。
【００９７】
加えて、上例ではプリンタ内蔵カメラないしはカメラ一体型プリンタに本発明を適用した場合について説明したが、プリント情報を取得できるデジタルカメラとプリンタとを接続する場合に対しても本発明を適用できる。
【００９８】
また、上述の処理手順を実行するプログラムをプリンタ内蔵カメラ、デジタルカメラまたはパーソナルコンピュータ等のホスト装置に供給することにより、撮影画像情報とプリント画像情報とをユーザーが容易に認識することができるようになる。
【００９９】
すなわち、上述の本実施形態の処理を行うプログラムについては、必ずしも予め組み込まれるものでなくてもよく、直接的に、あるいは画像データをプリント装置に供給するホストコンピュータ等の側から間接的に供給されるものでもよい。例えば、上述実施形態の機能を実現するソフトウェアのプログラムコードを、ホストコンピュータに供給し、そのコンピュータからの設定によって上述実施形態の機能を実現するようにしたものでもよい。
【０１００】
この場合、プログラムコード自体が上述した機能を実現することになる。
【０１０１】
プログラムコードを供給するための記憶媒体としては、例えば、フロッピーディスクやＣＤ−ＲＯＭのほか、ハードディスク、光ディスク、光磁気ディスク、ＣＤ−Ｒ、磁気テープ、不揮発性のメモリカード、ＲＯＭなどを用いることができる。
【図面の簡単な説明】
【０１０２】
【図１】本発明を適用可能なプリンタ内蔵カメラの正面図である。
【図２】図１のカメラの斜め前方からの斜視図である。
【図３】図１のカメラの斜め後方からの斜視図である。
【図４】図１のカメラに装着可能なメディアパックの斜視図である。
【図５】図１のカメラの内部における主要構成部の配置関係を示す斜視図である。
【図６】図５におけるプリンタ部の斜視図である。
【図７】図６のプリンタ部の一部を取り外した斜視図である。
【図８】図６のプリンタ部におけるキャリッジの斜視図である。
【図９】図６のプリンタ部におけるプリント媒体搬送系の構成部分の斜視図である。
【図１０】図６のプリンタ部におけるインク供給系の構成部分の斜視図である。
【図１１】図１０のインク供給系の構成部分にメディアパックが装着されたときの平面図である。
【図１２】図１のカメラにおけるカメラ部とプリンタ部の概略ブロック構成図である。
【図１３】図１２のカメラ部における信号処理の説明図である。
【図１４】図１２のプリンタ部における信号処理の説明図である。
【図１５】図１２に示したプリンタ内蔵カメラの基本構成に対し、特に本発明の特徴的な構成を実現するための制御系の一例を示すブロック図である。
【図１６】基本構成で説明したプリンタ内蔵カメラを模式化して示す図であり、プリンタ内蔵カメラをほぼ正面右上方向から示す斜視図である。
【図１７】基本構成で説明したプリンタ内蔵カメラを模式化して示す図であり、プリンタ内蔵カメラをほぼ背面左下方向から示す斜視図である。
【図１８】プリント可能領域を表示器上に明示するための表示例を示す説明図である。
【図１９】プリント可能領域と非プリント可能領域とを明示するための表示処理手順の一例を示すフローチャートである。
【符号の説明】
【０１０３】
Ａ００１  装置本体
Ａ００２  挿入部
Ａ１００  カメラ部
Ａ１０１  レンズ
Ａ１０２  ファインダー
Ａ１０２ａ  ファインダー窓
Ａ１０３  ストロボ
Ａ１０４  レリーズボタン
Ａ１０５  液晶表示部（外部表示部）
Ａ１０７  コンパクトフラッシュメモリカード（ＣＦカード）
Ａ１０８  電池
Ａ１０９  排出部
Ｂ１００  プリンタ部（記録装置部）
Ｂ１０１  ＬＦローラ
Ｂ１０２  ＬＦピンチローラ
Ｂ１０３  プラテン
Ｂ１０４  キャリッジ
Ｂ１０５  ガイド軸
Ｂ１０６  リードスクリュー
Ｂ１０７  軸受け
Ｂ１０８  軸受け
Ｂ１０９  スクリューピン
Ｂ１１０  ばね
Ｂ１２０  記録ヘッド
Ｂ１２１  インク吐出口
Ｂ１２２  ニードル
Ｂ１２３  供給エアー口
Ｂ１２４  ニードルカバー
Ｂ１３１  エンコーダセンサ
Ｂ１３２  リニアスケール
Ｂ１３３  ＨＰフラグ
Ｂ１３４  ＨＰセンサ
Ｂ１４１  スクリューギア
Ｂ１４２  アイドラギア
Ｂ１４３  モータギア
Ｂ１５０  フレキシブルケーブル
Ｂ２０１  排紙ローラ
Ｂ２０２  排紙ローラギア
Ｂ２０３  中継ギア
Ｂ２０４  ＬＦローラギア
Ｂ２１１  切り替えスライダ
Ｂ２１２  切り替えカム
Ｂ２１３  圧板ヘッド
Ｂ３０１  ジョイントフォーク
Ｂ３０２  供給ジョイント
Ｂ３０３  供給チューブ
Ｂ３０４  ポンプシリンダ
Ｂ３０５  ジョイントリフタ
Ｂ３１０  吸引キャップ
Ｂ３１１  吸引チューブ
Ｂ３１２  廃液チューブ
Ｂ３１３  廃液ジョイント
Ｂ３１５  ポンプユニット
Ｂ３１６  ワイパーリフタ
Ｂ３２１  ポンプＨＰセンサ
Ｂ３２２  ジョイントＨＰセンサ
Ｂ３２３  シャーシ
Ｃ１００  メディアパック
Ｃ１０１  パック本体
Ｃ１０２  シャッター
Ｃ１０２Ａ  窓部
Ｃ１０３  インクパック
Ｃ１０４  プリント媒体
Ｃ１０５  ジョイント
Ｃ１０６  ワイパー
Ｃ１０７  インク吸収体
Ｃ１１０  給紙ローラ
Ｃ１１０ａ  連結部
Ｍ００１  キャリッジモータ
Ｍ００２  搬送モータ
Ｍ００３  ジョイントモータ
Ｍ００４  ポンプモータ
１０１  ＣＣＤ
１０２  マイク
１０３  ＡＳＩＣ
１０４  第１メモリ
１０５  ＣＦカード（「ＣＦカードＡ１０７」に相当）
１０６  ＬＣＤ（「液晶表示部Ａ１０５」に相当）
１０７  レンズ
１２０  第１ＣＰＵ
２０１  画像処理部
２０２  第２メモリ
２０３  バンドメモリ制御部
２０４  バンドメモリ
２０５  マスクメモリ
２０６  ヘッド制御部
２０７  記録ヘッド（「記録ヘッドＢ１２０」に相当）
２０８  エンコーダ（「エンコーダセンサＢ１３１」に相当）
２０９  エンコーダカウンタ
２１０  インターフェース
２２０  第２ＣＰＵ
２２１  モータドライバ
２２２  モータ（「モータＭ００１，Ｍ００２，Ｍ００３，Ｍ００４」に相当）
２２３  センサ（「ＨＰセンサＢ１３４，Ｂ３２１，Ｂ３２２」を含む）
２２４  ＥＥＰＲＯＭ
２３０  音声エンコーダ部
２５０  電源部（「電池Ａ１０８」に相当）
１１０１  ＲＯＭ
１１０２  ＲＡＭ
１１０３  カメラ部
１１０４  ビューファインダ
１１０５  バス
１１０７  操作部
１１１０  カードドライブ
１１１１  インターフェース部
【図１】
2006256330.tif 000003
【図２】
2006256330.tif 000004
【図３】
2006256330.tif 000005
【図４】
2006256330.tif 000006
【図５】
2006256330.tif 000007
【図６】
2006256330.tif 000008
【図７】
2006256330.tif 000009
【図８】
2006256330.tif 000010
【図９】
2006256330.tif 000011
【図１０】
2006256330.tif 000012
【図１１】
2006256330.tif 000013
【図１２】
2006256330.tif 000014
【図１３】
2006256330.tif 000015
【図１４】
2006256330.tif 000016
【図１５】
2006256330.tif 000017
【図１６】
2006256330.tif 000018
【図１７】
2006256330.tif 000019
【図１８】
2006256330.tif 000020
【図１９】
2006256330.tif 000021
【手続補正書】
【提出日】平成18年6月6日(2006.6.6)
【手続補正１】
【補正対象書類名】特許請求の範囲
【補正対象項目名】全文
【補正方法】変更
【補正の内容】
【特許請求の範囲】
【請求項１】
撮影機能および再生機能を有するデジタルカメラであって、
撮影した画像を記憶媒体に記憶させる手段と、
該記憶媒体に記憶された画像を表示する表示手段と、
画像をプリントするためのプリント媒体の情報を取得する情報取得手段と、
プリント情報を設定するための設定手段と、
前記情報取得手段により取得した情報に含まれるプリント領域に関する情報および前記設定手段により設定されたプリント情報とに基づいて、前記プリント媒体上にプリントされるプリント領域を前記表示手段に表示されている画像と共に表示させる表示処理手段と、
を具えたことを特徴とするデジタルカメラ。
【請求項２】
前記プリント情報は、前記プリント媒体に余白を設けてプリントするか否かの情報であることを特徴とする請求項１に記載に記載のデジタルカメラ。
【請求項３】
前記プリント情報は、前記プリント媒体にプリントされる画像の位置および大きさの情報であることを特徴とする請求項１に記載のデジタルカメラ。
【請求項４】
前記表示手段は、撮影機能において撮影すべき画像の確認にも供され、
前記表示処理手段は、前記撮影すべき画像とともにとともに前記プリント領域を前記表示手段に表示させることを特徴とする請求項１ないし３のいずれかに記載のデジタルカメラ。
【請求項５】
前記表示手段は、再生機能において再生すべき画像情報の確認にも供され、
前記表示処理手段は、前記再生すべき画像とともにとともに前記プリント領域を前記表示手段に表示させることを特徴とする請求項１ないし４のいずれかに記載のデジタルカメラ。
【請求項６】
前記情報取得手段は、前記プリント媒体を供給するための消耗材収納容器の形状または、前記消耗材収納容器が備えるメモリに格納される情報から前記プリント媒体の情報を取得することを特徴とする請求項１ないし５のいずれかに記載のデジタルカメラ。
【請求項７】
前記表示手段は、ファインダおよびモニタ画面を有し、
前記表示処理手段は、前記ファインダおよびモニタ画面の少なくとも一方に前記プリント領域を表示させることを特徴とする請求項１ないし６のいずれかに記載のデジタルカメラ。
【請求項８】
撮影機能および再生機能を有し、撮影した画像を記憶媒体に記憶させる手段と、該記憶媒体に記憶された画像を表示する表示手段と、を具えたデジタルカメラの表示処理方法であって、
画像をプリントするためのプリント媒体の情報を取得する情報取得工程と、
プリント情報を設定するための設定工程と、
前記情報取得工程により取得した情報に含まれるプリント領域に関する情報および前記設定工程により設定されたプリント情報とに基づいて、前記プリント媒体上にプリントされるプリント領域を前記表示手段に表示されている画像と共に表示させる表示処理工程と、
を具えたことを特徴とするデジタルカメラの表示処理方法。
【請求項９】
前記プリント情報は、前記プリント媒体に余白を設けてプリントするか否かの情報であることを特徴とする請求項８に記載に記載のデジタルカメラの表示処理方法。
【請求項１０】
前記プリント情報は、前記プリント媒体にプリントされる画像の位置および大きさの情報であることを特徴とする請求項８に記載のデジタルカメラの表示処理方法。
【請求項１１】
前記表示手段は、撮影機能において撮影すべき画像の確認にも供され、
前記表示処理工程では、前記撮影すべき画像とともにとともに前記プリント領域を前記表示手段に表示させることを特徴とする請求項８ないし１０のいずれかに記載のデジタルカメラの表示処理方法。
【請求項１２】
前記表示手段は、再生機能において再生すべき画像情報の確認にも供され、
前記表示処理工程では、前記再生すべき画像とともにとともに前記プリント領域を前記表示手段に表示させることを特徴とする請求項８ないし１１のいずれかに記載のデジタルカメラの表示処理方法。
【請求項１３】
前記情報取得工程では、前記プリント媒体を供給するための消耗材収納容器の形状または、前記消耗材収納容器が備えるメモリに格納される情報から前記プリント媒体の情報を取得することを特徴とする請求項８ないし１２のいずれかに記載のデジタルカメラの表示処理方法。
【請求項１４】
前記表示手段は、ファインダおよびモニタ画面を有し、
前記表示処理工程では、前記ファインダおよびモニタ画面の少なくとも一方に前記プリント領域を表示させることを特徴とする請求項８ないし１３のいずれかに記載のデジタルカメラの表示処理方法。
【手続補正３】
【補正対象書類名】明細書
【補正対象項目名】０００１
【補正方法】変更
【補正の内容】
【０００１】
本発明は、撮像手段および撮影画像の表示手段を有するデジタルカメラおよびその表示処理方法に関する。詳しくは、例えば、プリンタと一体化され、あるいはプリンタと接続され、またはプリント情報を保持するパーソナルコンピュータ等のホスト装置と接続されたデジタルカメラに対して、プリンタ側が有するプリント情報をデジタルカメラ側が有する撮影画像の表示手段の表示に反映させることができる構成に関する。
【手続補正４】
【補正対象書類名】明細書
【補正対象項目名】００１３
【補正方法】変更
【補正の内容】
【００１３】
そこで、本発明は、プリント媒体情報を取得可能となし、当該取得されたプリント媒体情報およびユーザーによって指定された指定情報（フルブリード印刷や余白付き印刷の指定など）から、記憶媒体に記憶されビューファインダやＬＣＤ等のモニタなどに表示される撮影画像に対して、実際にプリントされる範囲を明示できるようにすることを目的とする。
【手続補正５】
【補正対象書類名】明細書
【補正対象項目名】００１４
【補正方法】変更
【補正の内容】
【００１４】
そのために、本発明は、撮影機能および再生機能を有するデジタルカメラであって、
撮影した画像を記憶媒体に記憶させる手段と、
該記憶媒体に記憶された画像を表示する表示手段と、
画像をプリントするためのプリント媒体の情報を取得する情報取得手段と、
プリント情報を設定するための設定手段と、
前記情報取得手段により取得した情報に含まれるプリント領域に関する情報および前記設定手段により設定されたプリント情報とに基づいて、前記プリント媒体上にプリントされるプリント領域を前記表示手段に表示されている画像と共に表示させる表示処理手段と、
を具えたことを特徴とする。
【手続補正６】
【補正対象書類名】明細書
【補正対象項目名】００１５
【補正方法】変更
【補正の内容】
【００１５】
また、本発明は、撮影機能および再生機能を有し、撮影した画像を記憶媒体に記憶させる手段と、該記憶媒体に記憶された画像を表示する表示手段と、を具えたデジタルカメラの表示処理方法であって、
画像をプリントするためのプリント媒体の情報を取得する情報取得工程と、
プリント情報を設定するための設定工程と、
前記情報取得工程により取得した情報に含まれるプリント領域に関する情報および前記設定工程により設定されたプリント情報とに基づいて、前記プリント媒体上にプリントされるプリント領域を前記表示手段に表示されている画像と共に表示させる表示処理工程と、
を具えたことを特徴とする。
【手続補正７】
【補正対象書類名】明細書
【補正対象項目名】００１６
【補正方法】変更
【補正の内容】
【００１６】
これらにおいて、前記プリント情報は、前記プリント媒体に余白を設けてプリントするか否かの情報とすることができる。
【手続補正８】
【補正対象書類名】明細書
【補正対象項目名】００１７
【補正方法】変更
【補正の内容】
【００１７】
また、前記プリント情報は、前記プリント媒体にプリントされる画像の位置および大きさの情報とすることができる。
【手続補正９】
【補正対象書類名】明細書
【補正対象項目名】００１８
【補正方法】変更
【補正の内容】
【００１８】
また、以上において、前記表示手段は、撮影機能において撮影すべき画像の確認にも供され、
前記表示処理手段または工程では、前記撮影すべき画像とともにとともに前記プリント領域を前記表示手段に表示させるものとすることができる。
【手続補正１０】
【補正対象書類名】明細書
【補正対象項目名】００１９
【補正方法】変更
【補正の内容】
【００１９】
さらに、前記表示手段は、再生機能において再生すべき画像情報の確認にも供され、
前記表示処理手段または工程では、前記再生すべき画像とともにとともに前記プリント領域を前記表示手段に表示させるものとすることができる。
【手続補正１１】
【補正対象書類名】明細書
【補正対象項目名】００２０
【補正方法】変更
【補正の内容】
【００２０】
また、前記情報取得手段または工程では、前記プリント媒体を供給するための消耗材収納容器の形状または、前記消耗材収納容器が備えるメモリに格納される情報から前記プリント媒体の情報を取得するものとすることができる。
【手続補正１２】
【補正対象書類名】明細書
【補正対象項目名】００２１
【補正方法】変更
【補正の内容】
【００２１】
加えて、前記表示手段は、ファインダおよびモニタ画面を有し、
前記表示処理手段または工程では、前記ファインダおよびモニタ画面の少なくとも一方に前記プリント領域を表示させるものとすることができる。
【手続補正１３】
【補正対象書類名】明細書
【補正対象項目名】００２２
【補正方法】変更
【補正の内容】
【００２２】
本発明によれば、カメラ一体型プリンタにおいて、あるいは、プリンタと接続されるデジタルカメラにおいて、プリンタから供給されるプリント媒体の情報に基き、元の画像情報（記憶媒体に記憶されている撮影画像の情報）とその内のプリントされる領域とをユーザーが容易に認識することが可能となる。
【手続補正１４】
【補正対象書類名】明細書
【補正対象項目名】００２３
【補正方法】変更
【補正の内容】
【００２３】
また、撮影時に、プリント媒体に合ったプリント領域が表示されることによって、プリント後の仕上がりを認識しやすく、プリントに必要な部分を確実にプリント可能領域に入るように撮影を行うことが可能となる。
【手続補正１５】
【補正対象書類名】明細書
【補正対象項目名】００２５
【補正方法】変更
【補正の内容】
【００２５】
また、プリント領域が好みに合わなくても、プリント媒体が収納されている所望の消耗材収納容器（メディアパック）を変更するだけで、好みのプリント可能領域でプリントすることができ、操作も簡単である。